(57)【要約】【課題】スポンサーの広告参画意欲を高めながら、動画管理者に利益を与えることができる、動画管理システムの提供。【解決手段】動画を受信する動画受信手段と、動画を送信する動画送信手段と、入札者情報と入札価格を受信する入札情報受信手段と、動画の落札者を決定する落札者決定手段と、落札者から落札者提供データを受信する、落札者提供データ受信手段と、落札された動画と落札者提供データの一部または全部とを用いて得られる加工済み動画を送信する、加工済み動画送信手段と、を含む動画管理システム、により上記課題を解決する。【選択図】図２
2008040931.tif 000002
【特許請求の範囲】
【請求項１】
動画を受信する動画受信手段と、
動画を送信する動画送信手段と、
入札者情報と入札価格を受信する入札情報受信手段と、
動画の落札者を決定する落札者決定手段と、
落札者から落札者提供データを受信する、落札者提供データ受信手段と、
落札された動画と落札者提供データの一部または全部とを用いて得られる加工済み動画を送信する、加工済み動画送信手段と、
を含む動画管理システム。
【請求項２】
加工済み動画を受信した者にインセンティブを付与する、インセンティブ付与手段、
をさらに含む、請求項１に記載の動画管理システム。
【請求項３】
インセンティブ付与手段が、加工済み動画を受信し、さらに、加工済み動画に含まれるＵＲＬで特定されるホームページにアクセスした者にインセンティブを付与する、請求項２に記載の動画管理システム。
【請求項４】
加工済み動画を受信した回数を集計する、集計手段、
をさらに含む、請求項１〜３のいずれかに記載の動画管理システム。
【請求項５】
集計手段が、加工済み動画を受信し、さらに、加工済み動画に含まれるＵＲＬで特定されるホームページにアクセスした回数を集計する、請求項４に記載の動画管理システム。
【請求項６】
加工済み動画を受信した回数、または、
加工済み動画を受信し、さらに、加工済み動画に含まれるＵＲＬで特定されるホームページにアクセスして提供されるデータを受信した回数、
に基づいて、動画提供者報酬額および落札者請求額からなる群からなる１以上を算出する、加工済み動画受信回数算出手段、
をさらに含む、請求項１〜５のいずれかに記載の動画管理システム。
【請求項７】
請求項１〜６のいずれかに記載の動画管理システムとして機能させるためのプログラム。
【請求項８】
請求項７に記載のプログラムを記録したコンピュータ読みとり可能な記録媒体。
【請求項９】
動画を受信する動画受信ステップと、
動画を送信する動画送信ステップと、入札者情報と入札価格を受信する入札情報受信ステップと、動画の落札者を決定する落札者決定ステップと、
落札者から落札者提供データを受信する、落札者提供データ受信ステップと、
落札された動画と落札者提供データの一部または全部とを用いて得られる加工済み動画を送信する、加工済み動画送信ステップと、
を含む動画管理方法。
【請求項１０】
加工済み動画を受信し、さらに、加工済み動画に含まれるＵＲＬで特定されるホームページにアクセスした者にインセンティブを付与するインセンティブ付与ステップと、
加工済み動画を受信し、さらに、加工済み動画に含まれるＵＲＬで特定されるホームページにアクセスした回数を集計する集計ステップと、
加工済み動画を受信した回数、または、加工済み動画を受信し、かつ、加工済み動画に含まれるＵＲＬで特定されるホームページにアクセスした回数に基づいて、動画提供者報酬額および落札者請求額からなる群からなる１以上を算出する、加工済み動画受信回数算出ステップと、
をさらに含む、請求項１０に記載の動画管理方法。
【発明の詳細な説明】
【技術分野】
【０００１】
本発明は、動画管理方法、動画管理システム、当該システムを機能させるためのプログラム、およびその記録媒体に関する。
【背景技術】
【０００２】
近年、広告に動画を利用したい企業等のスポンサーが存在する。このようなスポンサーは、例えば、動画制作会社等に広告用の動画を発注して当該動画を一定額で購入して当該動画を公開するという広告形式を利用している。しかし、広告における費用対効果を予測しにくいため、このような広告形式では、スポンサーの広告参画意欲が減退してしまう。
【発明の開示】
【発明が解決しようとする課題】
【０００３】
上記の状況の下、例えば、スポンサーの広告参画意欲を高めながら、動画管理者に利益を与えることができる、動画管理システムが求められている。
【課題を解決するための手段】
【０００４】
本発明は、以下のような動画管理方法、動画管理システム、当該システムを機能させるためのプログラム、およびその記録媒体を提供する。
【０００５】
［１］  動画を受信する動画受信手段と、動画を送信する動画送信手段と、入札者情報と入札価格を受信する入札情報受信手段と、動画の落札者を決定する落札者決定手段と、落札者から落札者提供データを受信する、落札者提供データ受信手段と、落札された動画と落札者提供データの一部または全部とを用いて得られる加工済み動画を送信する、加工済み動画送信手段と、を含む動画管理システム。
［２］  加工済み動画を受信した者にインセンティブを付与する、インセンティブ付与手段、をさらに含む、［１］に記載の動画管理システム。
［３］  インセンティブ付与手段が、加工済み動画を受信し、さらに、加工済み動画に含まれるＵＲＬで特定されるホームページにアクセスした者にインセンティブを付与する、［２］に記載の動画管理システム。
［４］  加工済み動画を受信した回数を集計する、集計手段、をさらに含む、［１］〜［３］のいずれかに記載の動画管理システム。
［５］  集計手段が、加工済み動画を受信し、さらに、加工済み動画に含まれるＵＲＬで特定されるホームページにアクセスした回数を集計する、［４］に記載の動画管理システム。当該集計手段は、加工済み動画を受信した者および／または加工済み動画に含まれるＵＲＬで特定されるホームページにアクセスして提供されるデータを受信した者のうち、インセンティブを取得した者を各々特定し、インセンティブ取得者数および付与したインセンティブのポイント数からなる群の１以上を集計することが好ましい。
［６］  加工済み動画を受信した回数、または、加工済み動画を受信し、さらに、加工済み動画に含まれるＵＲＬで特定されるホームページにアクセスして提供されるデータを受信した回数、に基づいて、動画提供者報酬額および落札者請求額からなる群からなる１以上を算出する、加工済み動画受信回数算出手段、をさらに含む、［１］〜［５］のいずれかに記載の動画管理システム。
【０００６】
［７］  ［１］〜［６］のいずれかに記載の動画管理システムとして機能させるためのプログラム。
［８］  ［７］に記載のプログラムを記録したコンピュータ読みとり可能な記録媒体。
【０００７】
［９］  動画を受信する動画受信ステップと、動画を送信する動画送信ステップと、入札者情報と入札価格を受信する入札情報受信ステップと、動画の落札者を決定する落札者決定ステップと、落札者から落札者提供データを受信する、落札者提供データ受信ステップと、落札された動画と落札者提供データの一部または全部とを用いて得られる加工済み動画を送信する、加工済み動画送信ステップと、を含む動画管理方法。
［１０］  加工済み動画を受信した者にインセンティブを付与する、インセンティブ付与ステップ、をさらに含む、［９］に記載の動画管理方法。
［１１］  インセンティブ付与ステップが、加工済み動画を受信し、さらに、加工済み動画に含まれるＵＲＬで特定されるホームページにアクセスした者にインセンティブを付与する、［１０］に記載の動画管理方法。
［１２］  加工済み動画を受信した回数を集計する、集計ステップ、をさらに含む、［９］〜［１１］のいずれかに記載の動画管理方法。
［１３］  集計ステップが、加工済み動画を受信し、さらに、加工済み動画に含まれるＵＲＬで特定されるホームページにアクセスした回数を集計する、［１２］に記載の動画管理方法。当該集計ステップは、加工済み動画を受信した者および／または加工済み動画に含まれるＵＲＬで特定されるホームページにアクセスして提供されるデータを受信した者のうち、インセンティブを取得した者を各々特定し、インセンティブ取得者数および付与したインセンティブのポイント数からなる群の１以上を集計することが好ましい。
［１４］  加工済み動画を受信した回数、または、加工済み動画を受信し、さらに、加工済み動画に含まれるＵＲＬで特定されるホームページにアクセスして提供されるデータを受信した回数、に基づいて、動画提供者報酬額および落札者請求額からなる群からなる１以上を算出する、加工済み動画受信回数算出ステップ、をさらに含む、［９］〜［１３］のいずれかに記載の動画管理方法。
【０００８】
本明細書において、動画とは、動く画像を含むデータであり、当該動画は、さらに文字や記号が表示されてもよいし、音声を含んでもよい。また、本明細書において、ＵＲＬ（Uniform Resource Locator）とは、インターネット上の資源の場所を特定するもの (アドレス) である。
【発明の効果】
【０００９】
本発明の好ましい態様に係る動画管理システム等は、例えば、スポンサーの広告参画意欲を高めることができ、動画提供者や動画管理者にも利益を与えることができる。
本発明の好ましい態様に係る動画管理システム等は、例えば、スポンサーの有無に拘わらず動画提供者が制作・提供した動画を公開することができ、スポンサーが動画を広告等に採用した場合には報酬を得られるため、動画を公開している者は多くの高品質の動画（広告に採用された動画と採用されていない動画とを含む）を公開することができ、これによって、一般消費者に広告を認知してもらうのに必要な公開コストを低減できる。
【００１０】
本発明の好ましい態様に係る動画管理システム等を用いると、例えば、スポンサーは完成した動画の中から選択できるため、広告等に用いる動画を発注して得られた動画の品質の優劣に関するリスクを負うことがない。
本発明の好ましい態様に係る動画管理システム等では、例えば、広告の付された動画を閲覧した会員に対してポイント等のインセンティブを付与することによって、動画管理システムを利用する会員登録を促すことができる。
本発明の好ましい態様に係る動画管理システム等を用いると、スポンサーは広告閲覧者の年齢、性別、家族構成、志向性等の属性を把握することが容易となり、広告効果を分析することができる。
【発明を実施するための最良の形態】
【００１１】
本発明の動画管理システム、当該システムを機能させるためのプログラム、その記録媒体、および動画管理方法について、図面を参照しながら説明する。
なお、本発明は、当該実施形態に限定されるものではない。
【００１２】
１  本発明の動画管理システムの構成
図１は、本発明の動画管理システムの構成を示す図である。
この動画管理システムは、バス１に、システム全体を統括的に制御するＣＰＵ２と、プログラムやデータを格納するＲＡＭ３、入力手段４、入力されたデータ、各種情報・データ等を出力できるＣＲＴモニタ、液晶モニタ、プリンター等の出力手段５、これらのデータやプログラム等を他の端末と通信可能な通信手段６が接続されている。
また、このバス１には、記憶手段７が接続されている。この記憶手段７は、動画データベース７１と会員データベース７２を有する。動画データベース７１には、動画提供者から送られてきた動画（生動画）、および、当該動画に落札者から提供されたデータ（例えば、落札者に関連する広告や落札者のホームページのアドレスであるＵＲＬ等）を含むように加工された動画（加工済み動画）が記録されている。会員データベースを７２には、動画管理システムに記録された動画に入札できる会員、生動画や広告付き動画等の動画を閲覧できる会員および動画を提供する会員の氏名、年齢、性別、住所、家族構成、志向性等が記録されている。
また、入力手段４としては、例えば、キーボードやマウス等のポインティングデバイス、タッチパネル、ペンタブレット等が挙げられる。記憶手段７としては、例えば、ハードディスク、フレキシブルディスク、ＣＤロム、ＤＶＤロム、ＭＯ、ＭＤ等が挙げられる。通信手段６としては、例えば、モデム、ＴＡ、ルータ等が挙げられる。
【００１３】
また、図示はしていないが、本発明の動画管理システムは、一般公衆が用いる端末、動画提供者が用いる端末、動画の入札者が用いる端末等と、インターネット等の電気通信回線を介して接続している。
【００１４】
２  本発明の動画管理システムを用いる動画管理方法
上述した動画管理システムを用いて、本発明の動画管理方法を実施することができる。本発明の動画管理システムの動作を示すフローチャートである図２に基づいて、当該システムの動作と本発明の動画管理方法を説明する。
【００１５】
(1)動画を受信（Ｓ１０１）
個人または企業によって制作された動画（生動画）は、動画提供者が用いる端末から送信されて、動画管理システムは、通信手段６によって生動画を受信する（Ｓ１０１）。そして、受信された生動画は、動画データベース７１に記録される。このようにして集められた多数の生動画が、動画データベース７１に記録されている。
【００１６】
(2) 動画を送信（生動画のアップロード）（Ｓ１０２）
動画データベース７１に記録された生動画は、動画管理システムにアップロードされる。すなわち、通信手段６によってインターネット等の電気通信回線を介して、これらの生動画は一般公衆の端末に送信され、一般公衆はこれらの端末から前記動画を閲覧することができる状態におかれる。この際、例えば、生動画を閲覧できる者を、一般公衆ではなく、動画管理システムに記録された動画に入札できる会員等の特定の者に制限することもできる。
【００１７】
生動画はカテゴリー別に分類されて動画データベース７１に記録されることが好ましい。カテゴリーは特に限定されないが、例えば、ペット、グルメ、子供、子育て、旅行（地域名等）が挙げられる。また、このようなカテゴリー別に生動画が分類されて、動画管理システムにアップロードされ、カテゴリー別にインターネットのホームページ上に表示されることが好ましい。
【００１８】
(3) 入札者情報と入札価格を受信（Ｓ１０３）
生動画の送信を受けて生動画を閲覧した者が、例えば、当該動画を自社の広告等に利用したいと判断した場合、当該動画を入札する。
動画入札者は、会員番号、氏名、住所等を含む入札者情報と入札価格とを端末から動画管理システムに送信する。動画管理システムは、通信手段６によって、入札者情報と入札価格を受信する。
入札価格には、(a)動画を購入する際の価格、(b)生動画をベースにした広告用の加工済み動画が一般公衆に閲覧される毎に、生動画の提供者や動画管理システムを管理する管理者等に支払う価格、等が用いられる。
【００１９】
(4) 動画の落札者を決定（Ｓ１０４）
入札者の数が落札予定者数よりも多かった場合、入札価格が上位の者が落札者となる。具体的には、動画管理システムのＣＰＵ２等によって、落札者が決定される。なお、落札者の人数は１でも複数でもよい。
落札者には、例えば、通信手段６を用いて電子メール等で落札した旨の連絡をすることができる。
【００２０】
(5) 落札者から落札者提供データを受信 （Ｓ１０５）
落札者は、端末を用いて、落札した動画に挿入する情報等を含む落札者提供データを送信し、動画管理システムは、通信手段６によって、当該データを受信する。
落札した動画に挿入される情報は特に限定されるものではないが、例えば、落札者が動画を広告に用いる際に生動画に加えたい動画、音声、画像、文字、一般公衆のアクセスを希望するホームページのアドレスであるＵＲＬ等が挙げられる。
【００２１】
なお、受信される落札者提供データは、動画、音声、画像、文字一般公衆のアクセスを希望するホームページのアドレスであるＵＲＬ等の一部または全部が落札した生動画データに追加および／または置換されたり、生動画の一部を削除等されて得られた動画（加工済み動画）であってもよい。
【００２２】
本明細書中、ＵＲＬが追加されてＵＲＬが含まれる加工済み動画とは、動画中にＵＲＬが表示された動画だけではなく、動画に組み込まれた文字列や画像がクリックされると所定のＵＲＬで特定されるホームページが表示される動画も含む。
【００２３】
(6) 加工済み動画を送信（加工済み動画のアップロード）（Ｓ１０６）
動画管理システムがＳ１０５で、落札者提供データとして、落札した生動画に加えたい動画、音声、画像、文字、落札者のホームページのアドレスであるＵＲＬ等のデータを受信すると、ＣＰＵ２等を用いて、これらの落札者提供データに含まれる一部または全部を生動画の最初、最後、中間部等に追加および／または置換したり、動画の一部を削除する等の加工処理をして加工済み動画を作成する。
たとえば、加工済み動画全体として所定の時間に収まるように生動画の最初の数秒間を削除すると共に、さらに、落札者提供データの中からＵＲＬの情報を取り出し、一部が削除された前記動画の最後に、クリックされると所定のＵＲＬで特定されるホームページが表示される落札者の企業のロゴが表示されるように加工されて、ＵＲＬが含まれる加工済み動画を作成する。
【００２４】
その後、当該加工済み動画は、動画管理システムにアップロードされる。すなわち、通信手段６によってインターネット等の電気通信回線を介して、これらの加工済み動画は一般公衆の端末に送信され、一般公衆これらの端末から前記動画を閲覧することができる状態におかれる。この際、加工済み動画を閲覧できる者を、会員データベースに登録された会員に制限することもできる。加工済み動画を閲覧する者が会員であった場合、動画管理システムは動画の閲覧者を特定できるため、動画の閲覧者情報を動画の落札者に提供することができる。
【００２５】
加工済み動画はカテゴリー別に分類されて動画データベース７１に記録されることが好ましい。カテゴリーは特に限定されないが、例えば、ペット、グルメ、子供、子育て、旅行（旅行先名等）が挙げられる。また、このようなカテゴリー別に加工済み動画が分類されて、インターネットのホームページ上に表示されることが好ましい。
【００２６】
なお、Ｓ１０５において、落札者から落札者提供データとして加工済み動画を受信した場合には、当該加工済み動画が動画管理システムにおいて加工処理されることなく一般公衆の端末に送信され、一般公衆は利用する端末から前記加工済み動画を閲覧することができる。
【００２７】
(7) インセンティブを付与（Ｓ１０７）
動画管理システムは、ＣＰＵ２等を用いて、当該システムにアップロードされた加工済み動画を受信した者にインセンティブを付与することができる。
加工済み動画が、動画の最後に落札者提供データに含まれるＵＲＬのホームページが表示される企業のロゴが挿入されている加工済み動画の場合、加工済み動画を受信して動画の前半だけを受信して閲覧しただけで、前記企業のロゴを閲覧しないまたは企業のロゴをクリックせずに所定のＵＲＬで特定されるホームページを閲覧しないケースが生じ得る。
そこで、前記ＵＲＬで特定されるホームページの閲覧を促すべく、加工済み動画を受信し、さらに、加工済み動画に含まれるＵＲＬで特定されるホームページにアクセスした者にインセンティブを付与するようにすることが好ましい。本明細書中、ＵＲＬで特定されるホームページにアクセスするとは、ＵＲＬで特定されるホームページにアクセスして提供されるデータを受信することをいう。
【００２８】
インセンティブとしては、例えば、インターネット上で交換価値を有するポイントの獲得ポイント数が挙げられる。
ここで、インターネット上で交換価値を有するポイントは、例えば、商品との交換、サービスの享受、現金に換金可能な単位等のことであり、何らかの交換価値を有するものであれば、表記や表現に特に限定されない。
【００２９】
(8) 受信回数の集計（Ｓ１０８）
動画管理システムは、ＣＰＵ２等を用いて、加工済み動画を受信した回数を集計することができる。これによって、加工済み動画が閲覧された回数、加工済み動画の閲覧をきっかけに所定のＵＲＬにアクセスして表示されたホームページが閲覧された回数等を把握することができる。
また、前述の通り、加工済み動画の最後に落札者提供データに含まれるＵＲＬが挿入されている場合、加工済み動画を受信しただけで、所定のＵＲＬで特定されるホームページを閲覧しないケースを加工済み動画の受信回数から除外するために、加工済み動画を受信し、さらに、加工済み動画に含まれるＵＲＬで特定されるホームページにアクセスして提供されるデータを受信した回数を集計することが好ましい。
また、動画管理システムは、加工済み動画を受信した者および／または加工済み動画に含まれるＵＲＬで特定されるホームページにアクセスして提供されるデータを受信した者のうち、インセンティブを取得した者を各々特定し、インセンティブ取得者数および付与したインセンティブのポイント数からなる群の１以上を集計することが好ましい。
【００３０】
(9) 動画提供者報酬額・落札者請求額の算出（Ｓ１０９）
動画管理システムは、ＣＰＵ２等を用いて、Ｓ１０８で集計された(a)加工済み動画を受信した回数、(b)加工済み動画を受信し、さらに、加工済み動画に含まれるＵＲＬで特定されるホームページにアクセスした回数、 (c)インセンティブを取得した取得者数、(d)付与したインセンティブのポイント数等からなる群から選ばれる１以上に基づいて、生動画を提供した者に支払う動画提供者報酬額や、生動画の落札者に請求する落札者請求額等を算出することができる。
このように、加工済み動画の閲覧回数に応じて動画提供者報酬額や、生動画の落札者に請求する落札者請求額が算出されると、動画制作者に対してより優れた動画を作成しようとする動機付けを与え、生動画の入札者（落札者）にとっては事前に費用対効果を確定できるため、動画を購入して広告等のビジネスに用いやすくなる。
【００３１】
３  コンピュータを本発明の動画管理システムとして機能させるためのプログラムとそのプログラムを記録したコンピュータ読みとり可能な記録媒体
本発明は、上記動画管理方法を実施するための動画管理システムを機能させるためのプログラムである。例えば、本発明のプログラムは、動画を受信する動画受信手段と、動画を送信する動画送信手段と、入札者情報と入札価格を受信する入札情報受信手段と、動画の落札者を決定する落札者決定手段と、落札者から落札者提供データを受信する、落札者提供データ受信手段と、落札された動画と落札者提供データの一部または全部とを用いて得られる加工済み動画を送信する、加工済み動画送信手段と、加工済み動画を受信し、さらに、加工済み動画に含まれるＵＲＬにアクセスして提供されるデータを受信した者にインセンティブを付与するインセンティブ付与手段と、加工済み動画を受信し、さらに、加工済み動画に含まれるＵＲＬにアクセスして提供されるデータを受信した回数を集計する集計手段と、加工済み動画を受信した回数、または、加工済み動画を受信し、かつ、加工済み動画に含まれるＵＲＬにアクセスして提供されるデータを受信した回数に基づいて、動画提供者報酬額および落札者請求額からなる群からなる１以上を算出する、加工済み動画受信回数算出手段と、を含む動画管理システムとして機能させるためのプログラムである。
【００３２】
本発明のプログラムは、一般的には、本発明をシステムにおいて使用するコンピュータ上で、またはネットワーク上で機能し得るプログラム言語、例えば、Perl-Tk、C++、JAVA（登録商標）Visual Basic等で作動する。
【００３３】
また、本発明は、前記プログラムを記録したコンピュータ読みとり可能な記録媒体を提供する。記録媒体は特に限定されるものではないが、例えば、フレキシブルディスク、ＣＤロム、ＤＶＤロム、ハードディスク、ＭＯ、ＭＤ、フラッシュメモリー等が挙げられる。
【産業上の利用可能性】
【００３４】
本発明の活用法として、例えばインターネット等を用いた動画の取引を挙げることができる。
【図面の簡単な説明】
【００３５】
【図１】本発明の動画管理システムの構成を示す。
【図２】本発明の動画管理システムを用いた動画管理方法を示すフローチャートである。
【符号の説明】
【００３６】
１  バス
２  ＣＰＵ
３  ＲＡＭ
４  入力手段
５  出力手段
６  通信手段
７  記憶手段
７１  動画データベース
７２  会員データベース
【図１】
2008040931.tif 000003
【図２】
2008040931.tif 000004